(57)【特許請求の範囲】
【請求項１】
軸筒を振ることにより生じる重量体の慣性力によりチャックを前進させて芯を繰り出す振出式シャープペンシルにおいて、透明性を有する軸筒と、軸筒の後部に取り付けられる頭冠と、頭冠内に摺動可能に内蔵される押圧部材と、頭冠と押圧部材の間に取り付けられ押圧部材を長手方向後方に付勢するリターンスプリングと、チャックに連結されかつ前記押圧部材の押圧面と当接可能な芯タンクを有し、芯タンクの外面と頭冠の内面との間に位置し長手方向に摺動可能に重量体を設け、該重量体と頭冠の内段を当接可能に構成するとともに、軸筒内に挿入される頭冠の挿入部を軸筒の全長の半分以上にして該頭冠の挿入部で重量体を半分程度覆い隠し、頭冠の挿入部の円周にわずかに凹陥した凹部を長手方向に長く伸ばして形成したことを特徴とする振出式シャープペンシル。
【発明の詳細な説明】
【技術分野】
【０００１】
本発明は、重量体の慣性力によりチャックを前進させて芯を繰り出す振出式シャープペンシルに関するものである。
【背景技術】
【０００２】
従来の低価格の振出式シャープペンシルは、軸筒の後部に頭冠が取り付けられ、この頭冠内に摺動可能に押圧部材が内蔵され、頭冠と押圧部材の間にリターンスプリングを取り付けて押圧部材を長手方向後方に付勢し、更に、チャックに連結された芯タンクと押圧部材の押圧面が当接可能に構成した振出式シャープペンシルが知られている。（特許文献１参照）
【０００３】
しかしながら、上記振出式シャープペンシルは、軸筒に挿入される頭冠の挿入部の長さが軸筒の全長の３割程度以下であった。その為、軸筒を透明にした場合には重量体が透けて見えてしまうために軸筒に模様や表示を印刷してもはっきり確認できず、また頭冠の挿入部に模様や表示を印刷したりシールを貼着したりして加飾を行うことは不可能であった。
【先行技術文献】
【特許文献】
【０００４】
【特許文献１】特許第３８３１０７１号公報
【発明の概要】
【発明が解決しようとする課題】
【０００５】
解決しようとする問題点は、頭冠の挿入部に加飾ができない点と、透明性を有する軸筒から重量体や芯タンクが透けて見えてしまい、透明な軸筒に模様や表示を設けてもはっきり確認できない点である。
【課題を解決するための手段】
【０００６】
本発明は、軸筒を振ることにより生じる重量体の慣性力によりチャックを前進させて芯を繰り出す振出式シャープペンシルにおいて、透明性を有する軸筒と、軸筒の後部に取り付けられる頭冠と、頭冠内に摺動可能に内蔵される押圧部材と、頭冠と押圧部材の間に取り付けられ押圧部材を長手方向後方に付勢するリターンスプリングと、チャックに連結されかつ前記押圧部材の押圧面と当接可能な芯タンクを有し、芯タンクの外面と頭冠の内面との間に位置し長手方向に摺動可能に重量体を設け、該重量体と頭冠の内段を当接可能に構成するとともに、軸筒内に挿入される頭冠の挿入部を軸筒の全長の半分以上にして該頭冠の挿入部で重量体を半分程度覆い隠し、頭冠の挿入部の円周にわずかに凹陥した凹部を長手方向に長く伸ばして形成したことを最も主要な特徴とする。
【発明の効果】
【０００７】
本発明は、軸筒に取り付けられる頭冠の挿入部が軸筒の全長の半分以上挿入されるので、重量体や芯タンクの主要部分を覆うとともに、頭冠の挿入部に模様や表示あるいは着色等の加飾を行うことにより振出式シャープペンシルの外観を向上させることができる利点が得られるものである。
【図面の簡単な説明】
【０００８】
【図１】図１は、本発明の実施例１の振出式シャープペンシルを示す正面図である。（実施例１）
【図２】図２は、本発明の実施例１の振出式シャープペンシルを示す断面図である。（実施例１）
【図３】図３は、図２のＡ−Ａ線を示す拡大断面図である。（実施例１）
【図４】図４は、図２のＢ−Ｂ線を示す拡大断面図である。（実施例１）
【図５】図５は、図２のＣ−Ｃ線を示す拡大断面図である。（実施例１）
【図６】図６は、図２の頭冠を示す拡大正面図である。（実施例１）
【図７】図７は、図２の押圧部材を示す拡大正面図である。（実施例１）
【図８】図８は、図２の押圧部材を示す拡大平面図である。（実施例１）
【図９】図９は、本発明の実施例１の振出式シャープペンシルの頭冠に、押圧部材、リターンスプリング、消しゴム及びノブを組み込んだ構成を示す拡大正面図である。（実施例１）
【図１０】図１０は、図９のＡ−Ａ線を示す拡大断面図である。（実施例１）
【図１１】図１１は、本発明の実施例２の振出式シャープペンシルを示す正面図である。（実施例２）
【発明を実施するための形態】
【０００９】
本発明は、重量体や芯タンクの主要部を頭冠で覆うことにより、頭冠や透明な軸筒に設けた模様や表示等が容易に目視できる振出式シャープペンシルを実現した。
【実施例１】
【００１０】
以下、図１、図２、図３、図４、図５、図６、図７、図８、図９及び図１０に基づいて、本発明における実施例１の振出式シャープペンシルを説明する。また、図１の左側を前方とし、右側を後方とする。先ず、チャック１と、チャック１にコネクター２を介して連結された芯タンク３と、チャック１の頭部１Ａに外嵌された締具４と、締具４を受け止める連結具５と、連結具５とコネクター２の間に取り付けられるスプリング６とにより振出式シャープペンシルの機構部を構成する。軸筒７は透明あるいは着色された透明性を有する合成樹脂で構成され、かつ、軸筒７の前部孔７Ａは前記機構部の芯タンク３及びコネクター２が挿通可能に構成される。この軸筒７の前部孔７Ａより機構部を挿入し、軸筒７の前端と軸筒７の前部に螺合された先部材８の内段８Ａにより前記連結具５を挾持する。先部材８には芯９を適宜の力で保持するゴム等の弾性体で構成された芯ホルダー１０が内蔵されている。また、軸筒７には、後端より開口されかつ前記前部孔７Ａより太径の内孔７Ｂを形成するとともに、軸筒７の後部に係止窓７Ｃを形成する。更に、軸筒７の係止窓７Ｃと対向する位置に後端より長手方向前方に伸びた凹溝７Ｄを形成する。この軸筒７の内孔７Ｂに、金属製の線材を巻回して円筒状に構成した重量体１１が摺動可能に内蔵され、この重量体１１の貫通孔に前記芯タンク３が挿入される。図６に示した頭冠１２は、着色された不透明の合成樹脂で構成され、後部上側にクリップ１３を一体に形成するとともに、太径の後部から前方に伸びて軸筒７内に挿入される挿入部の長手方向寸法は軸筒７の全長の半分以上好ましくは８割程度の長さに構成し、重量体１１を覆う長さに構成される。この挿入部は細径部１２Ａで構成され、細径部１２Ａの後部外周面には前記クリップ１３の真下に位置して突起１２Ｂを形成する。更に、後部細径部の両側部に長手方向に伸びた開口窓１２Ｃを対向して形成し、突起１２Ｂが位置する細径部１２Ａが適宜弾性変形可能に構成する。また、頭冠１２の後部細径部に、突起１２Ｂの反対側に位置しかつ長手方向に伸びた隆起部１２Ｄを形成する。この頭冠１２には、芯タンク３の横振れを防止するための内鍔１２Ｅが形成されるとともに、後部内側にはリターンスプリング１４を当接するための段部１２Ｆが形成される。更に、頭冠１２の後部孔１２Ｇの上下には前記開口窓１２Ｃと軸心に対して９０度ずれた位置にキー溝１２Ｈが対向して形成されている。この頭冠１２の細径部１２Ａの円周にわずかに凹陥した凹部１２Ｉを長手方向に長く伸ばして形成し、この凹部１２Ｉに印刷により表示１５を設ける。尚、図示していないが、頭冠の凹部にシールを貼着して表示を設けても良い。
【００１１】
また、図７及び図８に示したように、押圧部材１６の前部筒１６Ａ外周面の両側にはそれぞれ突起１６Ｂが形成されるとともに、前部筒１６Ａの上下に開口窓１６Ｃが対向して形成され、突起１６Ｂが位置する前部筒１６Ａが弾性変形可能に構成されている。この押圧部材１６の後部には外鍔部１６Ｄが形成され、該外鍔部１６Ｄの上下には前記突起１６Ｂと軸心に対して９０度ずれた位置に外方に突出したキー１６Ｅがそれぞれ形成される。更に、押圧部材１６の内面には芯挿入口を有する内鍔１６Ｆが形成され、この内鍔１６Ｆの前面が芯タンク３の後端を押圧する押圧面となっている。この押圧部材１６の前部にリターンスプリング１４を外嵌した後、頭冠１２の後方より、頭冠１２のキー溝１２Ｈに押圧部材１６のキー１６Ｅを合わせて挿入し、押圧部材１６の突起１６Ｂを頭冠１２の開口窓１２Ｃに長手方向に摺動可能に遊嵌する。しかも、前記リターンスプリング１４が頭冠１２の段部１２Ｆと押圧部材１６の外鍔部１６Ｄの間に取り付けられることにより、通常押圧部材１６は長手方向後方に付勢されている。しかも、押圧部材１６の前部内孔１６Ｇには芯タンク３の後部が挿入され、芯タンク３の後端と押圧部材１６の押圧面は適宜離間して構成されている。更に、押圧部材１６の後部内孔には消しゴム１７が嵌合されて取り付けられ、かつ、消しゴム１７を覆うノブ１８が押圧部材１６の後部外面に嵌合されて図９及び図１０に示した状態となる。
【００１２】
このように組み立てられた頭冠１２が前記軸筒７の後端より挿入され、頭冠１２の隆起部１２Ｄが軸筒７の凹溝７Ｄに合わせて頭冠１２を前進させ、頭冠１２の突起１２Ｂを軸筒７の後部上面に形成した係止窓７Ｃに嵌合させ、頭冠１２を軸筒７に取り付ける。尚、軸筒７の係止窓７Ｃ及び頭冠１２の突起１２Ｂはクリップ１３により隠されるために外観を損なうことはない。また、頭冠１２の内鍔１２Ｅには前記芯タンク３の後部が挿通されるとともに、前記重量体１１はコネクター２の外鍔２Ａと頭冠１２の内鍔１２Ｅにより構成された内段との間を長手方向に摺動可能に構成する。また、重量体１１及び芯タンク３は頭冠１２の細径部１２Ａにより殆どの部分が覆われて透明な軸筒７から隠れ、頭冠１２の細径部１２Ａに設けられた表示１５のみが透明な軸筒７を通してはっきりと目視可能となる。
【００１３】
以上説明した振出式シャープペンシルは、軸筒７を振ることにより生じる重量体１１の慣性力によりチャック１を前進させて芯９を繰り出すとともに、芯タンク３内の次の芯９を追従させるには、ノブ１８を押圧することにより押圧部材１６の押圧面が芯タンク３の後端を押圧し、芯タンク３及びチャック１が前進することにより先部材８内の短くなった残芯を排出するとともに次の芯９を先部材８の先端より突出させるものである。
【００１４】
また、上記実施例１においては、着色された不透明の頭冠１２の細径部１２Ａにより重量体１１や芯タンク３といった軸筒７内に内蔵された部材を覆い隠すので、透明な軸筒７からは頭冠１２の細径部１２Ａのみが目視され細径部１２Ａに設けられた表示１５がはっきりと確認できるものである。
【実施例２】
【００１５】
以下、図１１に基づいて本発明の実施例２の振出式シャープペンシルを説明する。尚、図１と同一部材は同一の符号を付してその説明を省略する。先ず、頭冠１２を着色した不透明の合成樹脂で形成する。更に、透明な軸筒７の周面に模様を印刷あるいは転写により設けて振出式シャープペンシルを構成したものである。
【００１６】
この実施例２の振出式シャープペンシルは、軸筒７の周面に設けた模様１９が着色された頭冠１２の細径部１２Ａの上にはっきりと確認でき、外観が向上できる利点が得られるものである。
【００１７】
尚、本発明は、上記実施例に限定されるものではなく、軸筒の把持部に、滑り止め用の凹部を円周方向等間隔に形成したり、あるいは不透明のゴム製のグリップを取り付けて構成しても良い。また、頭冠の細径部で重量体を全て覆い隠さなくても半分程度覆い隠せば十分本発明の効果が期待できるものである。更に、頭冠を透明に構成し、細径部に印刷やシールを設けて重量体や芯タンクを覆い隠しても外観を向上させる効果が得られる。また、クリップと頭冠を別部品で構成しても良い。更にまた、軸筒、頭冠、押圧部材、重量体、芯タンクといった部材は説明を簡略化するためにそれぞれ１個の部材として図示しているが、それぞれ２個以上の部材を螺合、圧入等により一体化すれば良い。また、コネクターと芯タンクを一体に構成しても良い。
【産業上の利用可能性】
【００１８】
透明な軸筒内に内蔵された重量体や芯タンクを長手方向に伸びた頭冠の挿入部により覆い隠すことによって、頭冠の細径部や軸筒の周面に設けた模様や表示がはっきり確認できる振出式シャープペンシルに適用できる。
【符号の説明】
【００１９】
１    チャック
３    芯タンク
７    軸筒
９    芯
１１    重量体
１２    頭冠
１４    リターンスプリング
１６    押圧部材
【図１】
0005689355.tif 000002
【図２】
0005689355.tif 000003
【図３】
0005689355.tif 000004
【図４】
0005689355.tif 000005
【図５】
0005689355.tif 000006
【図６】
0005689355.tif 000007
【図７】
0005689355.tif 000008
【図８】
0005689355.tif 000009
【図９】
0005689355.tif 000010
【図１０】
0005689355.tif 000011
【図１１】
0005689355.tif 000012